(57)【要約】【課題】オブジェクトの移動に関するインターフェース制御に係り、キーボードとマウスを使用し、重なりあった複数の小さなオブジェクト群から、任意のオブジェクトを容易かつ確実に選択し、移動できるようにすることを課題とする。【解決手段】シフトキーの押下状態で、マウス左ボタンを押すと（Ｓ２０８）、基点オブジェクトが設定され（Ｓ２０９）、そのままマウス左ボタンを押し続けると（Ｓ２１０）、基点オブジェクトの近隣のオブジェクトのリストが生成され（Ｓ２１２）、マウスの移動距離に応じて、近隣のオブジェクトにフォーカスが設定される（Ｓ２１３）。シフトキーを放すと（Ｓ２１４）、そのオブジェクトが選択され、ドラッグが可能となる（Ｓ２１５）。【選択図】        図３
2004295631.tif 000002
【特許請求の範囲】
【請求項１】
複数のオブジェクトを表示可能であり、表示中のオブジェクトの選択操作を制御する装置であって、以下の要素を有することを特徴とするオブジェクト操作装置
（１）順次イベントを取得するイベント取得部
（２）取得したイベントが、特定キー押下リピートの場合に、近隣オブジェクト候補モードに設定する近隣オブジェクト候補モード設定部
（３）近隣オブジェクト候補モード中に取得したイベントが、マウスボタンダウンの場合に、マウスカーソル位置が対応するオブジェクトを基点オブジェクトとし、マウスカーソルの基準位置を設定する基準設定部
（４）表示上、基点オブジェクトに近いオブジェクトのリストを生成するオブジェクトリスト生成部
（５）近隣オブジェクト候補モード中に取得したイベントが、マウスボタンリピートの場合に、基準位置からのマウス移動距離を算出し、マウス移動距離に基づいて前記リストから候補となるオブジェクトを選択し、選択した候補オブジェクトにフォーカスを設定し、当該候補オブジェクトに対応する位置にマウスカーソルを移動させる候補オブジェクトフォーカス設定部
（６）近隣オブジェクト候補モード中に取得したイベントが、マウスボタンアップの場合に、近隣オブジェクト候補モードを解除し、通常モードにおけるマウスボタンダウンによるオブジェクトの選択と同様に、前記候補オブジェクトを選択する候補オブジェクト選択部。
【請求項２】
複数のオブジェクトを表示可能であり、表示中のオブジェクトの選択操作を制御するオブジェクト操作装置となるコンピュータに、以下の手順を実行させるためのプログラム
（１）順次イベントを取得する手順
（２）取得したイベントが、特定キー押下リピートの場合に、近隣オブジェクト候補モードに設定する手順
（３）近隣オブジェクト候補モード中に取得したイベントが、マウスボタンダウンの場合に、マウスカーソル位置が対応するオブジェクトを基点オブジェクトとし、マウスカーソルの基準位置を設定する手順
（４）表示上、基点オブジェクトに近いオブジェクトのリストを生成する手順
（５）近隣オブジェクト候補モード中に取得したイベントが、マウスボタンリピートの場合に、基準位置からのマウス移動距離を算出し、マウス移動距離に基づいて前記リストから候補となるオブジェクトを選択し、選択した候補オブジェクトにフォーカスを設定し、当該候補オブジェクトに対応する位置にマウスカーソルを移動させる手順
（６）近隣オブジェクト候補モード中に取得したイベントが、マウスボタンアップの場合に、近隣オブジェクト候補モードを解除し、通常モードにおけるマウスボタンダウンによるオブジェクトの選択と同様に、前記候補オブジェクトを選択する手順。
【請求項３】
複数のオブジェクトを表示可能であり、表示中のオブジェクトの選択操作を制御するオブジェクト操作装置における制御方法であって、以下の要素を有することを特徴とする制御方法
（１）順次イベントを取得する工程
（２）取得したイベントが、特定キー押下リピートの場合に、近隣オブジェクト候補モードに設定する工程
（３）近隣オブジェクト候補モード中に取得したイベントが、マウスボタンダウンの場合に、マウスカーソル位置が対応するオブジェクトを基点オブジェクトとし、マウスカーソルの基準位置を設定する工程
（４）表示上、基点オブジェクトに近いオブジェクトのリストを生成する工程
（５）近隣オブジェクト候補モード中に取得したイベントが、マウスボタンリピートの場合に、基準位置からのマウス移動距離を算出し、マウス移動距離に基づいて前記リストから候補となるオブジェクトを選択し、選択した候補オブジェクトにフォーカスを設定し、当該候補オブジェクトに対応する位置にマウスカーソルを移動させる工程
（６）近隣オブジェクト候補モード中に取得したイベントが、マウスボタンアップの場合に、近隣オブジェクト候補モードを解除し、通常モードにおけるマウスボタンダウンによるオブジェクトの選択と同様に、前記候補オブジェクトを選択する工程。
【発明の詳細な説明】
【０００１】
【発明の属する技術分野】
本発明は、オブジェクトの移動に係り、キーボードとマウスを使用し、重なりあった複数の小さなオブジェクト群から、任意のオブジェクトを容易かつ確実に選択し移動できるインターフェース技術に関する。
【０００２】
【従来の技術】
選択したいオブジェクトが他のオブジェクトと重なって表示されている場合や、完全に他のオブジェクトの下に隠れてしまっている場合には、他のオブジェクトを一旦移動させ、選択したいオブジェクトを選択しやすい状況へ変化させなければ、目的のオブジェクトを選択することができない。
【０００３】
例えば、図１８のようなオブジェクトの位置関係にある場合に、オブジェクトＢを選択（あるいは移動）しようとしても、オブジェクトＡとオブジェクトＣに阻まれて選択しにくい。その為、図１９に示すように、邪魔なオブジェクトＡあるいはオブジェクトＣを一旦選択して移動させた後に、目的のオブジェクトＢを選択しなければならない。
【０００４】
また、例えばＴａｂキーによりフォーカスを移動させることも可能であるが、そのようにして下のオブジェクトにフォーカスを当てても、下のオブジェクトは選択できず、マウスによる操作は不能である。
【０００５】
【特許文献１】
特開平０８−０７６９５６号公報
【特許文献２】
特開平０６−２０８４４７号公報
【０００６】
【発明が解決しようとする課題】
本発明は、上記した従来技術の欠点を除くためになされたものであって、その目的とするところは、重なりあった複数の小さなオブジェクト群から、任意のオブジェクトを容易かつ確実に選択し移動できるインターフェース制御を実現することを課題とする。
【０００７】
【課題を解決するための手段】
本発明に係るオブジェクト操作装置は、
複数のオブジェクトを表示可能であり、表示中のオブジェクトの選択操作を制御する装置であって、以下の要素を有することを特徴とする
（１）順次イベントを取得するイベント取得部
（２）取得したイベントが、特定キー押下リピートの場合に、近隣オブジェクト候補モードに設定する近隣オブジェクト候補モード設定部
（３）近隣オブジェクト候補モード中に取得したイベントが、マウスボタンダウンの場合に、マウスカーソル位置が対応するオブジェクトを基点オブジェクトとし、マウスカーソルの基準位置を設定する基準設定部
（４）表示上、基点オブジェクトに近いオブジェクトのリストを生成するオブジェクトリスト生成部
（５）近隣オブジェクト候補モード中に取得したイベントが、マウスボタンリピートの場合に、基準位置からのマウス移動距離を算出し、マウス移動距離に基づいて前記リストから候補となるオブジェクトを選択し、選択した候補オブジェクトにフォーカスを設定し、当該候補オブジェクトに対応する位置にマウスカーソルを移動させる候補オブジェクトフォーカス設定部
（６）近隣オブジェクト候補モード中に取得したイベントが、マウスボタンアップの場合に、近隣オブジェクト候補モードを解除し、通常モードにおけるマウスボタンダウンによるオブジェクトの選択と同様に、前記候補オブジェクトを選択する候補オブジェクト選択部。
【０００８】
本発明に係るプログラムは、
複数のオブジェクトを表示可能であり、表示中のオブジェクトの選択操作を制御するオブジェクト操作装置となるコンピュータに、以下の手順を実行させるためのプログラムであることを特徴とする
（１）順次イベントを取得する手順
（２）取得したイベントが、特定キー押下リピートの場合に、近隣オブジェクト候補モードに設定する手順
（３）近隣オブジェクト候補モード中に取得したイベントが、マウスボタンダウンの場合に、マウスカーソル位置が対応するオブジェクトを基点オブジェクトとし、マウスカーソルの基準位置を設定する手順
（４）表示上、基点オブジェクトに近いオブジェクトのリストを生成する手順
（５）近隣オブジェクト候補モード中に取得したイベントが、マウスボタンリピートの場合に、基準位置からのマウス移動距離を算出し、マウス移動距離に基づいて前記リストから候補となるオブジェクトを選択し、選択した候補オブジェクトにフォーカスを設定し、当該候補オブジェクトに対応する位置にマウスカーソルを移動させる手順
（６）近隣オブジェクト候補モード中に取得したイベントが、マウスボタンアップの場合に、近隣オブジェクト候補モードを解除し、通常モードにおけるマウスボタンダウンによるオブジェクトの選択と同様に、前記候補オブジェクトを選択する手順。
【０００９】
本発明に係る制御方法は、
複数のオブジェクトを表示可能であり、表示中のオブジェクトの選択操作を制御するオブジェクト操作装置における制御方法であって、以下の要素を有することを特徴とする
（１）順次イベントを取得する工程
（２）取得したイベントが、特定キー押下リピートの場合に、近隣オブジェクト候補モードに設定する工程
（３）近隣オブジェクト候補モード中に取得したイベントが、マウスボタンダウンの場合に、マウスカーソル位置が対応するオブジェクトを基点オブジェクトとし、マウスカーソルの基準位置を設定する工程
（４）表示上、基点オブジェクトに近いオブジェクトのリストを生成する工程
（５）近隣オブジェクト候補モード中に取得したイベントが、マウスボタンリピートの場合に、基準位置からのマウス移動距離を算出し、マウス移動距離に基づいて前記リストから候補となるオブジェクトを選択し、選択した候補オブジェクトにフォーカスを設定し、当該候補オブジェクトに対応する位置にマウスカーソルを移動させる工程
（６）近隣オブジェクト候補モード中に取得したイベントが、マウスボタンアップの場合に、近隣オブジェクト候補モードを解除し、通常モードにおけるマウスボタンダウンによるオブジェクトの選択と同様に、前記候補オブジェクトを選択する工程。
【００１０】
【発明の実施の形態】
実施の形態１．
以下本発明を図面に示す実施例に基づいて説明する。図１は、オブジェクト操作装置の構成を示す図である。
オブジェクト操作装置は、イベント取得部１、イベント・モード判定部２、近隣オブジェクト候補モード設定部３、基準設定部４、オブジェクトリスト生成部５、候補オブジェクトフォーカス設定部６、候補オブジェクト選択部７、オブジェクト選択部８、オブジェクトドラッグ部９、モード記憶部１０、基点オブジェクト記憶部１１、基準位置記憶部１２、オブジェクトリスト記憶部１３、及び選択オブジェクト記憶部１４の各要素を有している。更に、図示しないオブジェクト管理部を有している。
【００１１】
次に、処理について説明する。
図２及び図３は、全体処理フローを示す図である。
イベント取得部１により、イベントを取得すると（Ｓ２０１）、イベント・モード判定部２は、取得したイベントとモードに応じて、起動するモジュールを選択するように構成されている。そのうち、Ｓ２０２〜Ｓ２０５は、従来技術に相当する処理である。
例えば、通常モード中に、マウス左ボタンダウンのイベントを取得した場合には（Ｓ２０２）、オブジェクト選択部８によるオブジェクト選択処理（Ｓ２０３）が行われる。これにより、マウス位置のオブジェクトを選択し、マウス位置を一時記憶し、オブジェクト選択モードに移行する。
これにより、従来技術における操作方法でのオブジェクトの選択が実現されている。
【００１２】
また、オブジェクト選択モード中に、マウス左ボタンリピートのイベントを取得した場合には（Ｓ２０４）、オブジェクトドラッグ部９によるオブジェクトドラッグ処理（Ｓ２０５）が行われる。
図４は、オブジェクトドラッグ処理フローを示す図である。まず、マウスイベントを取得し（Ｓ４０１）、オブジェクトが選択された位置からのマウスの移動距離を計算する（Ｓ４０２）。そして、その距離に応じて、オブジェクトを移動する（Ｓ４０３）。
これにより、従来技術における操作方法でのオブジェクトの移動が実現されている。
【００１３】
図１８のように、下にあるオブジェクトを選択しようとする場合、本発明による操作では、まず、シフトキー（特定キーの例）を押さえる。これにより、シフトキーリピートのイベントが発生する。
図３に示すように、取得したイベントが、シフトキーリピートである場合には（Ｓ２０６）、近隣オブジェクト候補モード設定部３による近隣オブジェクト候補モード設定処理（Ｓ２０７）を行う。この処理により、モード記憶部１０に近隣オブジェクト候補モードが設定される。
【００１４】
そして、シフトキーを押さえたままで、目的のオブジェトの近くにあり、選択しやすいオブジェクト（基点オブジェクトという。）をマウス左ボタンで選択する。これにより、マウス左ボタンダウンのイベントが発生する。
図３に示すように、近隣オブジェクト候補モード中に、取得したイベントがマウス左ボタンダウンである場合には（Ｓ２０８）、基準設定部４により基準設定処理（Ｓ２０９）を行う。
図５は、基準設定処理フローを示す図である。マウス位置を取得し、マウス位置に相当するオブジェクトを基点オブジェクトとし、そのオブジェクトハンドルを記憶する（Ｓ５０１）。そして、マウス位置を、マウス移動距離算出の為の基準位置に設定する（Ｓ５０２）。
【００１５】
更に、マウス左ボタンを押し続けると、マウス左ボタンリピートのイベントが発生する。
図３に示すように、近隣オブジェクト候補モード中に、取得したイベントが、マウス左ボタンリピートの場合には（Ｓ２１０）、オブジェクトリスト生成部５によりオブジェクトリスト生成処理（Ｓ２１２）を行う。但し、マウス左ボタンリピートが繰り返される場合には、既にオブジェクトリスト生成されているので、同処理は行わない（Ｓ２１１）。オブジェクトリストは、基点オブジェクトの近隣のオブジェクトについてのリストである。オブジェクトを識別する情報として、オブジェクトハンドルを記憶している。
図６は、オブジェクトリスト生成処理フローを示す図である。この処理では、基点オブジェクトの親オブジェクトからつながるすべての子オブジェクトを検索し、その座標が基点オブジェクトの検索範囲（所定の近隣範囲）に含まれる場合に、基点オブジェクトにより近いものから順にリストに含める。
そのため、まず、基点オブジェクトに対する親オブジェクトのハンドルを取得する（Ｓ６０１）。そして、その親オブジェクトに対する子オブジェクトのハンドルを取得する（Ｓ６０２）。子オブジェクトが複数ある場合には、すべての子オブジェクトを特定する。そして、順次、子オブジェクトの座標を取得し（Ｓ６０３）、基点オブジェクトの検索範囲に、子オブジェクトの座標が含まれるか判定する（Ｓ６０４）。座標が検索範囲に含まれる場合には、その子オブジェクトをリストに追加する（Ｓ６０５）。そして基点オブジェクトに近い順に、ソート処理する（Ｓ６０６）。すべての子オブジェクトについて処理した時点で終了する（Ｓ６０７）。
【００１６】
ここで、検索範囲について説明する。図７は、検索情報を示す図である。この例では、基点オブジェクト自身を矩形として、その矩形の開始点の（ｘ座標，ｙ座標）、高さ、幅により基点オブジェクトを特定し、開始点算出定数ｓｉと終点算出定数ｅｉを用いて、検索範囲を算出する。
検索対象開始点（検索範囲の開始点）は、次のように算出する。基点オブジェクトの幅ｗに開始点算出定数ｓｉを乗ずる。そして基点オブジェクトの開始点ｘ座標から、その積を差し引いて、検索対象開始点のｘ座標ｓｘとする。
また基点オブジェクトの高さｈに開始点算出定数ｓｉを乗ずる。そして基点オブジェクトの開始点ｙ座標から、その積を差し引いて検索対象開始点のｙ座標ｓｙを求める。
検索対象終点高さ（検索範囲の終点高さ）は、次のように算出する。基点オブジェクトの高さｈに終点算出定数ｅｉを乗ずる。そして基点オブジェクトの開始点ｙ座標にその積を加えて、検索対象終点高さｓｈとする。
検索対象終点幅（検索範囲の終点幅）は、次のように算出する。基点オブジェクトの幅ｗに終点算出定数ｅｉを乗ずる。そして基点オブジェクトの開始点ｘ座標にその積を加えて、検索対象終点幅ｓｗとする。
【００１７】
図８は、検索範囲の例を示す図である。図のように基点オブジェクトを中心として所定の近隣範囲が検索範囲となっている。この例では、矩形の例を示したが、検索範囲は他の形状でも構わない。
【００１８】
図９は、複数オブジェクトが配置された際の検索範囲のイメージを示す図である。この例は、オブジェクトＡを基点オブジェクトとして選択した場合を示している。オブジェクトＢとオブジェクトＣは、検索範囲内に含まれているオブジェクトリストに登録される。
【００１９】
次に、基点オブジェクトと他のオブジェクトの間の距離について説明する。
図１０は、オブジェクト中心点間の距離を示す図である。この図のようにオブジェクトの中心間の距離を算出する方法の場合、三平方の定理に従って、基点オブジェクトの中心点から他のオブジェクトの中心点までの距離を算出する。
図１１は、オブジェクト開始点間の距離を示す図である。このようにオブジェクト開始点間の距離を算出する場合、三平方の定理に従って、基点オブジェクトの開始点から他のオブジェクトの開始点までの距離を算出する。
この他にも、中心間の距離と開始点間の距離の合計が最も少ないものを、基点オブジェクトと最も近いオブジェクトと判断する方法も有効である。
【００２０】
マウス左ボタンを押し続けマウスを移動すると、マウス左ボタンリピートのイベントが発生する。
図３に示すように、近隣オブジェクト候補モード中に、取得したイベントが、マウス左ボタンリピートの場合には（Ｓ２１０）、更に、候補オブジェクトフォーカス設定部６により候補オブジェクトフォーカス設定処理（Ｓ２１３）を行う。この処理により、マウスの移動距離に応じて、オブジェクトリスト中のオブジェクトにフォーカスを設定する。
【００２１】
ここで、候補オブジェクトフォーカス設定処理（Ｓ２１３）について詳述する。図１２は、候補オブジェクトフォーカス設定処理フローを示す図である。
まず、マウスイベントを取得し（Ｓ１２０１）、基準位置からのマウスの移動距離を計算する（Ｓ１２０２）。そして、その移動距離が所定基準（例えば、ピクセル値）以上か判定する（Ｓ１２０３）。所定基準以上の場合には、その移動距離に応じて、リストから候補となるオブジェクトを選択する（Ｓ１２０４）。例えば、移動距離Ｌが所定基準値のＮ倍以上でＮ＋１倍より小さいの場合に、Ｎ番目のオブジェクトを選択する方法などが考えられる。
そして、選択した候補オブジェクトにフォーカスを設定し（Ｓ１２０５）、マウスカーソルを候補オブジェクトの所定位置（例えば、左上隅）に移動する（Ｓ１２０６）。
これにより、シフトキー押下し、マウス左ボタンを押したまま、マウスを移動させる操作で、マウスの移動距離に応じて、基点オブジェクトに近いオブジェクトから順に、フォーカスが設定され、同時にカーソルが移動する。
【００２２】
ここで、オブジェクトのフォーカスを移動させる操作について説明する。図１３は、移動距離とフォーカスオブジェクトの移動の概念を示す図である。
上述のように、シフトキー押下状態で、マウス左クリック状態を維持したままマウスを移動させ、一定距離移動する毎に、サーチで作成したオブジェクトリストから移動先のオブジェクトのオブジェクトハンドルを取得し、フォーカスを移動させる。
この例では、順次、移動１を越えると、オブジェクト１にフォーカスが設定され、移動２を越えると、オブジェクト２にフォーカスが設定され、移動３を越えると、オブジェクト３にフォーカスが設定され、移動４を越えると、オブジェクト４にフォーカスが設定される。
【００２３】
いずれかのオブジェクトにフォーカスが設定されている状態で、シフトキーを放すと、そのオブジェクトが選択される。
図３に示すように、近隣オブジェクト候補モード中に、取得したイベントがシフトキーアップの場合には（Ｓ２１４）、候補オブジェクト選択部７により候補オブジェクト選択処理（Ｓ２１５）を行う。
図１４は、候補オブジェクト選択処理フローを示す図である。近隣オブジェクト候補モードを解除して、オブジェクト選択モードを設定する（Ｓ１５０１）。このとき、基点オブジェクト、基準位置、オブジェクトリストも初期化する。そして、通常モード時のオブジェクト選択処理と同様に、オブジェクト選択処理（Ｓ１５０２）を行う。つまり、マウス位置のオブジェクト（フォーカス設定されているオブジェクト）を選択し、マウス位置を一時記憶し、オブジェクト選択モードに移行する。これにより、通常モード時のオブジェクト選択処理と同様に、オブジェクトドラッグ部９によるオブジェクトドラッグ処理が可能となる。
【００２４】
最後に、フォーカスオブジェクトの決定の操作について説明する。前述のフォーカス移動の操作により、目的のオブジェクトにフォーカスが移動した時点で、シフトキーをリリースすると、フォーカスされているオブジェクトを選択する。このとき、マウスの左ボタンが押下されており、オブジェクトをドラッグ可能な状態となる。
【００２５】
図１５は、本発明に係る操作を行う前のオブジェクトの状態を示す図である。この図は、目的のオブジェクトＢを選択する為に、オブジェクトＡを基点オブジェクトとしている状態を示している。
図１６は、本発明に係る操作を行いフォーカスオブジェクトを移動させた状態を示す図である。この図は、マウスを移動させることにより、目的のオブジェクトＢにフォーカスが設定されている状態を示している。この状態で、シフトキーをリリースすることにより、オブジェクトＢを選択した状態（ドラッグ可能な状態）になる。
図１７は、本発明に係る操作を行いターゲットを移動させた状態を示す図である。この図は、選択したオブジェクトＢをドラッグにより移動させる様子を示している。
【００２６】
オブジェクト操作装置は、コンピュータであり、各要素はプログラムにより処理を実行することができる。また、プログラムを記憶媒体に記憶させ、記憶媒体からコンピュータに読み取られるようにすることができる。
【００２７】
【発明の効果】
本発明においては、上述の操作手順によれば、キーボードとマウスを使用し、重なりあった複数の小さなオブジェクト群から、任意のオブジェクトを容易かつ確実に選択し、移動することができる。
【図面の簡単な説明】
【図１】オブジェクト操作装置の構成を示す図である。
【図２】全体処理フローの前半を示す図である。
【図３】全体処理フローの後半を示す図である。
【図４】オブジェクトドラッグ処理フローを示す図である。
【図５】基準設定処理フローを示す図である。
【図６】オブジェクトリスト生成処理フローを示す図である。
【図７】検索情報を示す図である。
【図８】検索範囲の例を示す図である。
【図９】複数オブジェクトが配置された際の検索範囲のイメージを示す図である。
【図１０】オブジェクト中心点間の距離を示す図である。
【図１１】オブジェクト開始点間の距離を示す図である。
【図１２】候補オブジェクトフォーカス設定処理を示す図である。
【図１３】移動距離とフォーカスオブジェクトの移動の概念を示す図である。
【図１４】候補オブジェクト選択処理フローを示す図である。
【図１５】本発明に係る操作を行う前のオブジェクトの状態を示す図である。
【図１６】本発明に係る操作を行いフォーカスオブジェクトを移動させた状態を示す図である。
【図１７】本発明に係る操作を行いターゲットを移動させた状態を示す図である。
【図１８】オブジェクト位置の例を示す図である。
【図１９】従来のオブジェクト移動方法を示す図である。
【符号の説明】
１  イベント取得部、２  イベント・モード判定部、３  近隣オブジェクト候補モード設定部、４  基準設定部、５  オブジェクトリスト生成部、６  候補オブジェクトフォーカス設定部、７  候補オブジェクト選択部、８  オブジェクト選択部、９  オブジェクトドラッグ部、１０  モード記憶部、１１  基点オブジェクト記憶部、１２  基準位置記憶部、１３  オブジェクトリスト記憶部、１４選択オブジェクト記憶部。
【図１】
2004295631.tif 000003
【図２】
2004295631.tif 000004
【図３】
2004295631.tif 000005
【図４】
2004295631.tif 000006
【図５】
2004295631.tif 000007
【図６】
2004295631.tif 000008
【図７】
2004295631.tif 000009
【図８】
2004295631.tif 000010
【図９】
2004295631.tif 000011
【図１０】
2004295631.tif 000012
【図１１】
2004295631.tif 000013
【図１２】
2004295631.tif 000014
【図１３】
2004295631.tif 000015
【図１４】
2004295631.tif 000016
【図１５】
2004295631.tif 000017
【図１６】
2004295631.tif 000018
【図１７】
2004295631.tif 000019
【図１８】
2004295631.tif 000020
【図１９】
2004295631.tif 000021